(57)【要約】【課題】親や子供をリラックスさせることができるプログラムを提供する。【解決手段】コンピュータに、保護者の心拍の測定結果を示す第１測定結果を取得する第１取得処理と、前記保護者の子供の心拍の測定結果を示す第２測定結果を取得する第２取得処理と、第１コンテンツ群から、前記第１測定結果に基づいて選択された第１コンテンツを、画面に表示させる第１表示処理と、第２コンテンツ群から、前記第２測定結果に基づいて選択された第２コンテンツを、前記画面に表示させる第２表示処理と、第３コンテンツ群から、前記第１測定結果とともに前記第２測定結果が取得された際の前記第１及び第２測定結果に基づいて選択された第３コンテンツを、前記画面に表示させる第３表示処理と、を実行させることを特徴とするプログラムを実行させるプログラムである。【選択図】図１
2020154645.tif 000002
【特許請求の範囲】
【請求項１】
コンピュータに、
保護者の心拍の測定結果を示す第１測定結果を取得する第１取得処理と、
前記保護者の子供の心拍の測定結果を示す第２測定結果を取得する第２取得処理と、
第１コンテンツ群から、前記第１測定結果に基づいて選択された第１コンテンツを、画面に表示させる第１表示処理と、
第２コンテンツ群から、前記第２測定結果に基づいて選択された第２コンテンツを、前記画面に表示させる第２表示処理と、
第３コンテンツ群から、前記第１測定結果とともに前記第２測定結果が取得された際の前記第１及び第２測定結果に基づいて選択された第３コンテンツを、前記画面に表示させる第３表示処理と、
を実行させることを特徴とするプログラム。
【請求項２】
請求項１に記載のプログラムであって、
前記第１表示処理は、
前記第１測定結果が取得された回数の増加に応じて選択可能なコンテンツ数が増加する前記第１コンテンツ群から、前記第１測定結果に基づいて選択された前記第１コンテンツを、前記画面に表示させること、
を特徴とするプログラム。
【請求項３】
請求項１または２に記載のプログラムであって、
前記第２表示処理は、
前記第２測定結果が取得された回数の増加に応じて選択可能なコンテンツ数が増加する前記第２コンテンツ群から、前記第２測定結果に基づいて選択された前記第２コンテンツを、前記画面に表示させること、
を特徴とするプログラム。
【請求項４】
請求項１から３の何れか一項に記載のプログラムであって、
前記第３表示処理は、
前記第１測定結果とともに前記第２測定結果が取得された回数の増加に応じて選択可能なコンテンツ数が増加する前記第３コンテンツ群から、前記第１及び第２測定結果に基づいて選択された前記第３コンテンツを、前記画面に表示させること、
を特徴とするプログラム。
【請求項５】
請求項１〜４の何れか一項に記載のプログラムであって、
前記第１表示処理は、
前記第１測定結果と、前記子供の生後からの期間と、時刻と、に基づいて、前記第１コンテンツ群から選択された前記第１コンテンツを、前記画面に表示させること、
を特徴とするプログラム。
【請求項６】
請求項１〜５の何れか一項に記載のプログラムであって、
前記第２表示処理は、
前記第２測定結果と、前記子供の生後からの期間と、時刻と、に基づいて、前記第２コンテンツ群から選択された前記第２コンテンツを、前記画面に表示させること、
を特徴とするプログラム。
【請求項７】
請求項１〜６の何れか一項に記載のプログラムであって、
前記第３表示処理は、
前記第１及び第２測定結果と、前記子供の生後からの期間と、時刻と、に基づいて、前記第３コンテンツ群から選択された前記第３コンテンツを、前記画面に表示させること、
を特徴とするプログラム。
【請求項８】
請求項５〜７の何れか一項に記載のプログラムであって、
前記第１表示処理は、
前記第１測定結果と、前記子供の生後からの期間と、前記時刻と、過去の前記第１測定結果と、に基づいて、前記第１コンテンツ群から選択された前記第１コンテンツを、前記画面に表示させること、
を特徴とするプログラム。
【請求項９】
請求項５〜８の何れか一項に記載のプログラムであって、
前記第２表示処理は、
前記第２測定結果と、前記子供の生後からの期間と、前記時刻と、過去の前記第１測定結果と、に基づいて、前記第２コンテンツ群から選択された前記第２コンテンツを、前記画面に表示させること、
を特徴とするプログラム。
【請求項１０】
請求項５〜９の何れか一項に記載のプログラムであって、
前記第３表示処理は、前記第１及び第２測定結果と、前記子供の生後からの期間と、前記時刻と、過去の前記第１測定結果と、に基づいて、前記第３コンテンツ群から選択された前記第３コンテンツを、前記画面に表示させること、
を特徴とするプログラム。
【請求項１１】
請求項５〜７の何れか一項に記載のプログラムであって、
前記第１コンテンツ群に含まれる複数のコンテンツのうち前記画面に表示されたコンテンツの実施に関する第１情報を入力するための第１入力画像を、前記画面に表示させる第１入力画像表示処理と、
入力された前記第１情報を、前記画面に表示されたコンテンツに対応させて受け付ける第１受付処理と、
を前記コンピュータに実行させ、
前記第１表示処理は、
前記第１測定結果と、前記子供の生後からの期間と、前記時刻と、前記第１情報と、に基づいて、前記第１コンテンツ群から選択された前記第１コンテンツを、前記画面に表示させること、
を特徴とするプログラム。
【請求項１２】
請求項５〜７、１１の何れか一項に記載のプログラムであって、
前記第２コンテンツ群に含まれる複数のコンテンツのうち前記画面に表示されたコンテンツの実施に関する第２情報を入力するための第２入力画像を、前記画面に表示させる第２入力画像表示処理と、
入力された前記第２情報を、前記画面に表示されたコンテンツに対応させて受け付ける第２受付処理と、
を前記コンピュータに実行させ、
前記第２表示処理は、
前記第２測定結果と、前記子供の生後からの期間と、前記時刻と、前記第２情報と、に基づいて、前記第１コンテンツ群から選択された前記第１コンテンツを、前記画面に表示させること、
を特徴とするプログラム。
【請求項１３】
請求項５〜７、１１、１２の何れか一項に記載のプログラムであって、
前記第３コンテンツ群に含まれる複数のコンテンツのうち前記画面に表示されたコンテンツの実施に関する第３情報を入力するための第３入力画像を、前記画面に表示させる第３入力画像表示処理と、
入力された前記第３情報を、前記画面に表示されたコンテンツに対応させて受け付ける第３受付処理と、
を前記コンピュータに実行させ、
前記第３表示処理は、
前記第１及び第２測定結果と、前記子供の生後からの期間と、前記時刻と、前記第３情報と、に基づいて、前記第３コンテンツ群から選択された前記第３コンテンツを、前記画面に表示させること、
を特徴とするプログラム。
【請求項１４】
請求項５〜７の何れか一項に記載のプログラムであって、
前記第２コンテンツ群に含まれる複数のコンテンツのうち前記画面に表示されたコンテンツが実施された際の前記子供の状態に関する第４情報を入力するための第４入力画像を、前記画面に表示させる第４入力画像表示処理と、
入力された前記第４情報を、前記画面に表示されたコンテンツに対応させて受け付ける第４受付処理と、
を前記コンピュータに実行させ、
前記第２表示処理は、
前記第２測定結果と、前記子供の生後からの期間と、前記時刻と、前記第４情報と、に基づいて、前記第２コンテンツ群から選択された前記第２コンテンツを、前記画面に表示させること、
を特徴とするプログラム。
【請求項１５】
請求項５〜７、１４の何れか一項に記載のプログラムであって、
前記第３コンテンツ群に含まれる複数のコンテンツのうち前記画面に表示されたコンテンツが実施された際の前記子供の状態に関する第５情報を入力するための第５入力画像を、前記画面に表示させる第５入力画像表示処理と、
入力された前記第５情報を、前記画面に表示されたコンテンツに対応させて受け付ける第５受付処理と、
を前記コンピュータに実行させ、
前記第３表示処理は、
前記第１及び第２測定結果と、前記子供の生後からの期間と、前記時刻と、前記第５情報と、に基づいて、前記第３コンテンツ群から選択された前記第３コンテンツを、前記画面に表示させること、
を特徴とするプログラム。
【請求項１６】
請求項１〜１５の何れか一項に記載のプログラムであって、
前記保護者の心拍の測定を開始させるための第１画像と、前記子供の心拍の測定を開始させるための第２画像と、前記保護者の心拍とともに前記子供の心拍の測定を開始させるための第３画像と、を前記画面に表示させる画像表示処理を、前記コンピュータに実行させること、
を特徴とするプログラム。
【請求項１７】
請求項１〜１６の何れか一項に記載のプログラムであって、
前記第２及び第３コンテンツ群には、前記保護者及び前記子供の心音に基づいて生成された音楽がコンテンツとして含まれること、
を特徴とするプログラム。
【請求項１８】
請求項１〜１７の何れか一項に記載のプログラムであって、
前記保護者及び前記子供のふれあいを促す前記第２または第３コンテンツが前記画面に表示された後に入力される第１入力情報に基づいて、前記保護者及び前記子供のふれあいの程度を示す指標を算出する指標算出処理と、
前記指標を前記画面に表示させる指標表示処理と、を前記コンピュータに実行させること、
を特徴とするプログラム。
【請求項１９】
請求項１〜１８の何れか一項に記載のプログラムであって、
前記第１測定結果に基づいて、前記保護者の心理状態を推定する第１推定処理と、
前記第２測定結果に基づいて、前記子供の心理状態を推定する第２推定処理と、
前記第１及び第２推定処理の推定結果と、前記推定結果に関連して入力される第２入力情報とを、ソーシャルネットワーキングサービスを提供するサーバに送信する送信処理と、
を前記コンピュータに実行させること、
を特徴とするプログラム。
【請求項２０】
保護者の心拍の測定結果を示す第１測定結果を取得する第１取得ステップと、
前記保護者の子供の心拍の測定結果を示す第２測定結果を取得する第２取得ステップと、
第１コンテンツ群から、前記第１測定結果に基づいて選択された第１コンテンツを、画面に表示させる第１表示ステップと、
第２コンテンツ群から、前記第２測定結果に基づいて選択された第２コンテンツを、前記画面に表示させる第２表示ステップと、
第３コンテンツ群から、前記第１測定結果とともに前記第２測定結果が取得された際の前記第１及び第２測定結果に基づいて選択された第３コンテンツを、前記画面に表示させる第３表示ステップと、
を含むことを特徴とするコンテンツ表示方法。
【請求項２１】
保護者の心拍の測定結果を示す第１測定結果を取得する第１取得処理部と、
前記保護者の子供の心拍の測定結果を示す第２測定結果を取得する第２取得処理部と、
第１コンテンツ群から、前記第１測定結果に基づいて選択された第１コンテンツを、画面に表示させる第１表示処理部と、
第２コンテンツ群から、前記第２測定結果に基づいて選択された第２コンテンツを、前記画面に表示させる第２表示処理部と、
第３コンテンツ群から、前記第１測定結果とともに前記第２測定結果が取得された際の前記第１及び第２測定結果に基づいて選択された第３コンテンツを、前記画面に表示させる第３表示処理部と、
を含むことを特徴とするコンピュータ。
【発明の詳細な説明】
【技術分野】
【０００１】
本発明は、プログラム、コンテンツ表示方法、及びコンピュータに関する。
【背景技術】
【０００２】
特許文献１には、心拍数等に基づいて、測定者の健康状態を把握する技術が開示されている。
【先行技術文献】
【特許文献】
【０００３】
【特許文献１】特開平９−１８７４２９号
【発明の概要】
【発明が解決しようとする課題】
【０００４】
ところで、育児中の保護者は、一般に、子育てを行う際に様々なストレスを受ける。しかしながら、特許文献１に開示された技術では、自分がストレスを受けていることは把握できるとしても、子供や自分をリラックスさせることが困難であった。
【０００５】
本発明は、上記のような従来の問題に鑑みてなされたものであって、その目的は、プログラム、コンテンツ表示方法、及びコンピュータを提供することにある。
【課題を解決するための手段】
【０００６】
上記目的を達成するための主たる発明は、コンピュータに、保護者の心拍の測定結果を示す第１測定結果を取得する第１取得処理と、前記保護者の子供の心拍の測定結果を示す第２測定結果を取得する第２取得処理と、第１コンテンツ群から、前記第１測定結果に基づいて選択された第１コンテンツを、画面に表示させる第１表示処理と、第２コンテンツ群から、前記第２測定結果に基づいて選択された第２コンテンツを、前記画面に表示させる第２表示処理と、第３コンテンツ群から、前記第１測定結果とともに前記第２測定結果が取得された際の前記第１及び第２測定結果に基づいて選択された第３コンテンツを、前記画面に表示させる第３表示処理と、を実行させるプログラムである。
【発明の効果】
【０００７】
本発明によれば、親や子供をリラックスさせることができる。
【図面の簡単な説明】
【０００８】
【図１】コンピュータシステム１０を示す図である。
【図２】表示処理部４３及び受付処理部４４に含まれる機能ブロックの詳細を示す図である。
【図３】サーバ２１に実現される機能ブロックを示す図である。
【図４】コンテンツ１２１を説明するための図である。
【図５】コンテンツ１２１に含まれる情報を説明するための図である。
【図６】画面３３に表示されるホーム画面３００を示す図である。
【図７】コンテンツ表示処理を示すフローチャートである。
【図８】測定処理の一例を示すフローチャートである。
【図９】測定対象者を選択させる選択画面３０１を示す図である。
【図１０】親用の測定画面３０２を示す図である。
【図１１】子供用の測定画面３０３を示す図である。
【図１２】選択処理の詳細を示すフローチャートである。
【図１３】親用の表示・受付処理の一例を示すフローチャートである。
【図１４】親用の画面３１０の一例を示す図である。
【図１５】リラックスコンテンツ６４０ａを含む画面３１１を示す図である。
【図１６】プルダウンメニュー６４１を説明するための図である。
【図１７】子供用の表示・受付処理の一例を示すフローチャートである。
【図１８】子供用の画面３１２の一例を示す図である。
【図１９】ふれあいコンテンツ６６０ａを含む画面３１３を示す図である。
【図２０】プルダウンメニュー６６１を説明するための図である。
【図２１】親子用の表示・受付処理の一例を示すフローチャートである。
【図２２】親子用の画面３２０ａを示す図である。
【図２３】親子用の画面３２０ｂを示す図である。
【図２４】ふれあいコンテンツ６７０ａを含む画面３３０を示す図である。
【図２５】ＳＮＳ投稿処理の一例を示すフローチャートである。
【図２６】投稿画面３５０を示す図である。
【図２７】投稿情報を表示するＳＮＳの画面３６０を示す図である。
【図２８】母の気分の選択肢と子供の気分の選択肢を説明するための図である。
【図２９】実験の解析結果を説明するための図である。
【発明を実施するための形態】
【０００９】
本明細書及び添付図面の記載により、少なくとも以下の事項が明らかとなる。  
コンピュータに、保護者の心拍の測定結果を示す第１測定結果を取得する第１取得処理と、前記保護者の子供の心拍の測定結果を示す第２測定結果を取得する第２取得処理と、第１コンテンツ群から、前記第１測定結果に基づいて選択された第１コンテンツを、画面に表示させる第１表示処理と、第２コンテンツ群から、前記第２測定結果に基づいて選択された第２コンテンツを、前記画面に表示させる第２表示処理と、第３コンテンツ群から、前記第１測定結果とともに前記第２測定結果が取得された際の前記第１及び第２測定結果に基づいて選択された第３コンテンツを、前記画面に表示させる第３表示処理と、を実行させるプログラムである。
【００１０】
このようなプログラムによれば、測定対象者の心拍の測定結果に応じて選択されたコンテンツが提供されるため、測定者をリラックスさせることができる。
【００１１】
かかるプログラムであって、前記第１表示処理は、前記第１測定結果が取得された回数の増加に応じて選択可能なコンテンツ数が増加する前記第１コンテンツ群から、前記第１測定結果に基づいて選択された前記第１コンテンツを、前記画面に表示させること、が望ましい。
【００１２】
このようなプログラムによれば、親の心拍の測定回数に応じて新なコンテンツが提供される。したがって、利用者に継続してプログラムを使用させるモチベーションを向上させることができる。
【００１３】
かかるプログラムであって、前記第２表示処理は、前記第２測定結果が取得された回数の増加に応じて選択可能なコンテンツ数が増加する前記第２コンテンツ群から、前記第２測定結果に基づいて選択された前記第２コンテンツを、前記画面に表示させること、が望ましい。
【００１４】
このようなプログラムによれば、子供の心拍の測定回数に応じて新なコンテンツが提供される。したがって、利用者に継続してプログラムを使用させるモチベーションを向上させることができる。
【００１５】
かかるプログラムであって、前記第３表示処理は、前記第１測定結果とともに前記第２測定結果が取得された回数の増加に応じて選択可能なコンテンツ数が増加する前記第３コンテンツ群から、前記第１及び第２測定結果に基づいて選択された前記第３コンテンツを、前記画面に表示させること、が望ましい。
【００１６】
このようなプログラムによれば、親子の心拍の測定回数に応じて新なコンテンツが提供される。したがって、利用者に継続してプログラムを使用させるモチベーションを向上させることができる。
【００１７】
かかるプログラムであって、前記第１表示処理は、前記第１測定結果と、前記子供の生後からの期間と、時刻と、に基づいて、前記第１コンテンツ群から選択された前記第１コンテンツを、前記画面に表示させること、が望ましい。
【００１８】
このようなプログラムによれば、測定時刻や子供の月齢に合った親用のコンテンツの提供が可能となる。
【００１９】
かかるプログラムであって、前記第２表示処理は、前記第２測定結果と、前記子供の生後からの期間と、時刻と、に基づいて、前記第２コンテンツ群から選択された前記第２コンテンツを、前記画面に表示させること、が望ましい。
【００２０】
このようなプログラムによれば、測定時刻や子供の月齢に合った子供用のコンテンツの提供が可能となる。
【００２１】
かかるプログラムであって、前記第３表示処理は、前記第１及び第２測定結果と、前記子供の生後からの期間と、時刻と、に基づいて、前記第３コンテンツ群から選択された前記第３コンテンツを、前記画面に表示させること、が望ましい。
【００２２】
このようなプログラムによれば、測定時刻や子供の月齢に合った親子用のコンテンツの提供が可能となる。
【００２３】
かかるプログラムであって、前記第１表示処理は、前記第１測定結果と、前記子供の生後からの期間と、前記時刻と、過去の前記第１測定結果と、に基づいて、前記第１コンテンツ群から選択された前記第１コンテンツを、前記画面に表示させること、が望ましい。
【００２４】
このようなプログラムによれば、親の気質に合った親用のコンテンツの提供が可能となる。
【００２５】
かかるプログラムであって、前記第２表示処理は、前記第２測定結果と、前記子供の生後からの期間と、前記時刻と、過去の前記第１測定結果と、に基づいて、前記第２コンテンツ群から選択された前記第２コンテンツを、前記画面に表示させること、が望ましい。
【００２６】
このようなプログラムによれば、親の気質に合った子供用のコンテンツの提供が可能となる。
【００２７】
かかるプログラムであって、前記第３表示処理は、前記第１及び第２測定結果と、前記子供の生後からの期間と、前記時刻と、過去の前記第１測定結果と、に基づいて、前記第３コンテンツ群から選択された前記第３コンテンツを、前記画面に表示させること、が望ましい。
【００２８】
このようなプログラムによれば、親の気質に合った親子用のコンテンツの提供が可能となる。
【００２９】
かかるプログラムであって、前記第１コンテンツ群に含まれる複数のコンテンツのうち前記画面に表示されたコンテンツの実施に関する第１情報を入力するための第１入力画像を、前記画面に表示させる第１入力画像表示処理と、入力された前記第１情報を、前記画面に表示されたコンテンツに対応させて受け付ける第１受付処理と、を前記コンピュータに実行させ、前記第１表示処理は、前記第１測定結果と、前記子供の生後からの期間と、前記時刻と、前記第１情報と、に基づいて、前記第１コンテンツ群から選択された前記第１コンテンツを、前記画面に表示させること、が望ましい。
【００３０】
このようなプログラムによれば、親用のコンテンツの実施等状況に応じたコンテンツの提供が可能となる。
【００３１】
かかるプログラムであって、前記第２コンテンツ群に含まれる複数のコンテンツのうち前記画面に表示されたコンテンツの実施に関する第２情報を入力するための第２入力画像を、前記画面に表示させる第２入力画像表示処理と、入力された前記第２情報を、前記画面に表示されたコンテンツに対応させて受け付ける第２受付処理と、を前記コンピュータに実行させ、前記第２表示処理は、前記第２測定結果と、前記子供の生後からの期間と、前記時刻と、前記第２情報と、に基づいて、前記第１コンテンツ群から選択された前記第１コンテンツを、前記画面に表示させること、が望ましい。
【００３２】
このようなプログラムによれば、子供用のコンテンツの実施等状況に応じたコンテンツの提供が可能となる。
【００３３】
かかるプログラムであって、前記第３コンテンツ群に含まれる複数のコンテンツのうち前記画面に表示されたコンテンツの実施に関する第３情報を入力するための第３入力画像を、前記画面に表示させる第３入力画像表示処理と、入力された前記第３情報を、前記画面に表示されたコンテンツに対応させて受け付ける第３受付処理と、を前記コンピュータに実行させ、前記第３表示処理は、前記第１及び第２測定結果と、前記子供の生後からの期間と、前記時刻と、前記第３情報と、に基づいて、前記第３コンテンツ群から選択された前記第３コンテンツを、前記画面に表示させること、が望ましい。
【００３４】
このようなプログラムによれば、親子用のコンテンツの実施等状況に応じたコンテンツの提供が可能となる。
【００３５】
かかるプログラムであって、前記第２コンテンツ群に含まれる複数のコンテンツのうち前記画面に表示されたコンテンツが実施された際の前記子供の状態に関する第４情報を入力するための第４入力画像を、前記画面に表示させる第４入力画像表示処理と、入力された前記第４情報を、前記画面に表示されたコンテンツに対応させて受け付ける第４受付処理と、を前記コンピュータに実行させ、前記第２表示処理は、前記第２測定結果と、前記子供の生後からの期間と、前記時刻と、前記第４情報と、に基づいて、前記第２コンテンツ群から選択された前記第２コンテンツを、前記画面に表示させること、が望ましい。
【００３６】
このようなプログラムによれば、子供用のコンテンツが実施された際の子供の状態に応じたコンテンツの提供が可能となる。
【００３７】
かかるプログラムであって、前記第３コンテンツ群に含まれる複数のコンテンツのうち前記画面に表示されたコンテンツが実施された際の前記子供の状態に関する第５情報を入力するための第５入力画像を、前記画面に表示させる第５入力画像表示処理と、入力された前記第５情報を、前記画面に表示されたコンテンツに対応させて受け付ける第５受付処理と、を前記コンピュータに実行させ、前記第３表示処理は、前記第１及び第２測定結果と、前記子供の生後からの期間と、前記時刻と、前記第５情報と、に基づいて、前記第３コンテンツ群から選択された前記第３コンテンツを、前記画面に表示させること、が望ましい。
【００３８】
このようなプログラムによれば、親子用のコンテンツが実施された際の子供の状態に応じたコンテンツの提供が可能となる。
【００３９】
かかるプログラムであって、前記保護者の心拍の測定を開始させるための第１画像と、前記子供の心拍の測定を開始させるための第２画像と、前記保護者の心拍とともに前記子供の心拍の測定を開始させるための第３画像と、を前記画面に表示させる画像表示処理を、前記コンピュータに実行させること、が望ましい。
【００４０】
このようなプログラムによれば、親子の心拍測定をともに実施させることが容易となる。
【００４１】
かかるプログラムであって、前記第２及び第３コンテンツ群には、前記保護者及び前記子供の心音に基づいて生成された音楽がコンテンツとして含まれること、が望ましい。
【００４２】
このようなプログラムによれば、心音に基づいた音楽が提供できるため、子供（特に、乳幼児）をリラックスさせることができる。
【００４３】
かかるプログラムであって、前記保護者及び前記子供のふれあいを促す前記第２または第３コンテンツが前記画面に表示された後に入力される第１入力情報に基づいて、前記保護者及び前記子供のふれあいの程度を示す指標を算出する指標算出処理と、前記指標を前記画面に表示させる指標表示処理と、を前記コンピュータに実行させること、が望ましい。
【００４４】
このようなプログラムによれば、利用者は、ふれあいの程度を示す指標を客観的に確認できるため、利用者に継続してプログラムを使用させるモチベーションを向上させることができる。
【００４５】
かかるプログラムであって、前記第１測定結果に基づいて、前記保護者の心理状態を推定する第１推定処理と、前記第２測定結果に基づいて、前記子供の心理状態を推定する第２推定処理と、前記第１及び第２推定処理の推定結果と、前記推定結果に関連して入力される第２入力情報とを、ソーシャルネットワーキングサービスを提供するサーバに送信する送信処理と、を前記コンピュータに実行させること、が望ましい。
【００４６】
このようなプログラムによれば、心理状態に関連する情報を多くの利用者と共有することが容易となる。
【００４７】
保護者の心拍の測定結果を示す第１測定結果を取得する第１取得ステップと、前記保護者の子供の心拍の測定結果を示す第２測定結果を取得する第２取得ステップと、第１コンテンツ群から、前記第１測定結果に基づいて選択された第１コンテンツを、画面に表示させる第１表示ステップと、第２コンテンツ群から、前記第２測定結果に基づいて選択された第２コンテンツを、前記画面に表示させる第２表示ステップと、第３コンテンツ群から、前記第１測定結果とともに前記第２測定結果が取得された際の前記第１及び第２測定結果に基づいて選択された第３コンテンツを、前記画面に表示させる第３表示ステップと、を含むことコンテンツ表示方法である。
【００４８】
このような方法によれば、測定対象者の心拍の測定結果に応じて選択されたコンテンツが提供されるため、測定者をリラックスさせることができる。
【００４９】
保護者の心拍の測定結果を示す第１測定結果を取得する第１取得部と、前記保護者の子供の心拍の測定結果を示す第２測定結果を取得する第２取得部と、第１コンテンツ群から、前記第１測定結果に基づいて選択された第１コンテンツを、画面に表示させる第１表示処理部と、第２コンテンツ群から、前記第２測定結果に基づいて選択された第２コンテンツを、前記画面に表示させる第２表示処理部と、第３コンテンツ群から、前記第１測定結果とともに前記第２測定結果が取得された際の前記第１及び第２測定結果に基づいて選択された第３コンテンツを、前記画面に表示させる第３表示処理部と、を含むことを特徴とするコンピュータである。
【００５０】
このようなコンピュータによれば、測定対象者の心拍の測定結果に応じて選択されたコンテンツが提供されるため、測定者をリラックスさせることができる。
【００５１】
＝＝＝本実施形態＝＝＝
＜＜＜コンピュータシステム１０の構成＞＞＞
図１は、コンピュータシステム１０の一例を示す図である。コンピュータシステム１０は、利用者である子供や親（保護者）の心拍の測定結果に基づいて、利用者をリラックスさせるためのコンテンツを、端末２０の画面３３（後述）に表示させるシステムである。コンピュータシステム１０は、端末２０、及びサーバ２１を含んで構成される。
【００５２】
端末２０は、例えば、スマートフォンやタブレットであり、端末２０には、様々な機能が実現される。また、端末２０は、子供や親の心拍を測定し、測定結果をサーバ２１に送信する。また、端末２０は、サーバ２１で選択されたコンテンツを表示する。
【００５３】
サーバ２１は、例えば、端末２０から送信される利用者の心拍の測定結果に基づいて、利用者のストレスを軽減させるためのコンテンツを選択する装置である。また、詳細は後述するが、サーバ２１は、心拍の測定結果とテキスト情報等が投稿される所定のソーシャルネットワーキングサービスを管理する。
【００５４】
＜＜＜端末２０の詳細＞＞＞
端末２０は、記憶部３０、制御部３１、入力部３２、画面３３、カメラ３４、計時部３５、及び通信部３６を含む。
【００５５】
記憶部３０は、端末２０のプロセッサ（不図示）が実行する所定のプログラムや各種情報を記憶する。
【００５６】
制御部３１は、端末２０を統括制御する機能ブロックであり、端末２０のプロセッサが所定のプログラムを実行することにより端末２０に実現される。なお、制御部３１に含まれる機能ブロックについての詳細は後述する。
【００５７】
入力部３２は、端末２０のタッチパネルである画面３３のタップ操作により実現され、入力部３２には、端末２０の利用者の操作結果が入力される。画面３３は、制御部３１からの指令や利用者の操作結果に基づいて、コンテンツや各種情報を表示する。
【００５８】
カメラ３４（測定装置）は、発行ダイオード（不図示）から光が、指や手の平等の部位に照射された際、血流からの反射光を測定する。つまり、本実施形態のカメラ３４は、一般的な写真や動画を撮影する装置以外に、光学式の心拍（脈拍）測定装置として動作する。
【００５９】
計時部３５は、時刻を計時し、通信部３６は、端末２０と、他の端末やサーバ２１との間で情報のやり取りを行う。
【００６０】
＜＜＜制御部３１に実現される機能ブロック＞＞＞
制御部３１は、測定処理部４０、第１取得処理部４１、第２取得処理部４２、表示処理部４３、及び受付処理部４４を含む。
【００６１】
測定処理部４０は、カメラ３４からの反射光に基づいて、測定対象者の心拍を測定するブロックである。なお、詳細は後述するが、測定処理部４０は、“親の心拍測定（以下、適宜「親測定」と称する）”、“子の心拍測定（以下、適宜「子測定」と称する）”、“親子の心拍測定（以下、適宜「親子測定」と称する）”の３つの異なる種類の測定を行う。なお、測定方法は、カメラだけでなく他のウェアラブルデバイスや着用物品（服やおむつや下着なども含む）、接触・非接触のセンシングデバイス（画像解析によるセンシングなども含む）であってもよい。
【００６２】
第１取得処理部４１は、親の心拍の測定結果Ｘ１（第１測定結果）を取得し、第２取得処理部４２は、子の心拍の測定結果Ｘ２（第２測定結果）を取得する。
【００６３】
表示処理部４３は、利用者の操作結果等に基づいて、画面３３に各種画面を表示させる。また、例えば、表示処理部４３は、心拍の測定結果に基づいて、サーバ２１で選択されたコンテンツや各種情報を画面３３に表示させる。なお、詳細は後述するが、画面３３で表示されるコンテンツは、例えば、親や子供ストレスを軽減し、リラックスさせるための動画（音楽、音声、テキストを含む）や画像である。
【００６４】
受付処理部４４は、利用者が入力する各種情報を受け付ける。なお、利用者が入力する各種情報とは、例えば、画面３３に表示されたコンテンツが実行されたか否かに関する情報や、コンテンツを実行した際の子供の機嫌に関する情報である。
【００６５】
図２は、表示処理部４３及び受付処理部４４に含まれる機能ブロックの詳細を示す図である。表示処理部４３は、画面３３に画像、動画等の情報を表示させる機能ブロックであり、第１表示処理部６０〜第３表示処理部６２、第１入力画像表示処理部６３〜第５入力画像表示処理部６７、及び指標表示処理部６８を含む。
【００６６】
第１表示処理部６０は、親の心拍の測定結果に基づいてサーバ２１で選択された親用のコンテンツを、画面３３に表示させる。
【００６７】
第２表示処理部６１は、子の心拍の測定結果に基づいてサーバ２１で選択された子供用のコンテンツを、画面３３に表示させる。
【００６８】
第３表示処理部６２は、親子の心拍の測定結果に基づいてサーバ２１で選択された親子用のコンテンツを、画面３３に表示させる。
【００６９】
第１入力画像表示処理部６３は、親用のコンテンツの実施に関する情報Ｉ１（第１情報）を入力するための画像を、画面３３に表示させる。なお、コンテンツの実施に関する情報とは、例えば、コンテンツが実施されたか否かを示す情報である。また、以下、本実施形態では、親用のコンテンツを、適宜「リラックスコンテンツ」と称する。
【００７０】
第２入力画像表示処理部６４は、子供用のコンテンツの実施に関する情報Ｉ２（第２情報）を入力するための画像を、画面３３に表示させる。
【００７１】
第３入力画像表示処理部６５は、親子用のコンテンツの実施に関する情報Ｉ３（第３情報）を入力するための画像を、画面３３に表示させる。
【００７２】
第４入力画像表示処理部６６は、子供用のコンテンツの実施が実施された際の子供の状態に関する情報Ｉ４（第４情報）を入力するための画像を、画面３３に表示させる。ここで、子供の状態に関する情報とは、例えば、子供の機嫌に関する情報（“ごきげん”、“ふつう”、“不機嫌”）である。
【００７３】
第５入力画像表示処理部６７は、親子用のコンテンツの実施が実施された際の子供の状態に関する情報Ｉ５（第５情報）を入力するための画像を、画面３３に表示させる。
【００７４】
指標表示処理部６８は、例えば、子供用のコンテンツ、または親子用のコンテンツが実施等された回数に応じてサーバ２１で計算される“ふれあいポイント（指標）”を、画面３３に表示させる。詳細は後述するが、“ふれあいポイント”が、画面３３に表示されることにより、親は子供とふれあった度合いを客観的に把握できる。このため、例えば親は、子供とふれあう回数を意識して増加させることも可能となる。なお、以下、本実施形態では、子供用のコンテンツと、親子用のコンテンツとをまとめて、「ふれあいコンテンツ」と称する。
【００７５】
受付処理部４４は、利用者により入力される各種情報を受け付ける機能ブロックであり、第１受付処理部８０〜第５受付処理部８４を含む。
【００７６】
第１受付処理部８０は、利用者により入力される親用のコンテンツの実施に関する情報Ｉ１を、画面３３に表示された親用のコンテンツに対応させて受け付ける。
【００７７】
第２受付処理部８１は、利用者により入力される子供用のコンテンツの実施に関する情報Ｉ２を、画面３３に表示された子供用のコンテンツに対応させて受け付ける。
【００７８】
第３受付処理部８２は、利用者により入力される親子用のコンテンツの実施に関する情報Ｉ３を、画面３３に表示された親子用のコンテンツに対応させて受け付ける。
【００７９】
第４受付処理部８３は、子供用のコンテンツの実施が実施された際の子供の状態に関する情報Ｉ４を受け付ける。
【００８０】
第５受付処理部８４は、親子用のコンテンツの実施が実施された際の親子の状態に関する情報Ｉ５を受け付ける。
【００８１】
＜＜＜サーバ２１の詳細＞＞＞
図３は、サーバ２１のプロセッサ（不図示）が所定のプログラムを実行した際に、サーバ２１に実現される機能ブロックの一例を示す図である。
【００８２】
サーバ２１には、サーバ２１を統括制御する制御部１００、各種情報を記憶する記憶部１０１、端末２０等と情報のやりとりを行う通信部１０２が実現される。
【００８３】
＝＝制御部１００について＝＝
制御部１００は、第１状態推定部１１０、第２状態推定部１１１、選択部１１２、指標算出部１１３、及び投稿情報処理部１１４を含む。
【００８４】
第１状態推定部１１０は、端末２０から送信される親の心拍の測定結果Ｘ１に基づいて、親の心理状態を数値化しつつ、推定する。具体的には、第１状態推定部１１０は、測定結果Ｘ１が所定の閾値Ｔ１より高い場合、“アクティブ度〇％”の“アクティブ状態”と推定し、心拍数が、所定の閾値より低い場合、“リラックス度〇％”“リラックス状態”と推定する。ここで、「アクティブ状態」」（またはstress）とは、心拍数が高く、活発な状態もしくはストレスを感じている状態であり、「リラックス状態とは、心拍数が低く、ゆったりした気分である状態である。
【００８５】
第２状態推定部１１１は、端末２０から送信される子供の心拍の測定結果Ｘ２に基づいて、子供の心理状態を数値化しつつ、推定する。具体的には、第２状態推定部１１１は、測定結果Ｘ２が所定の閾値Ｔ２より高い場合、“アクティブ度□％”の“アクティブ状態”と推定し、心拍数が、所定の閾値より低い場合、“リラックス度□％”の“リラックス状態”と推定する。
【００８６】
なお、本実施形態では、心拍の測定結果と閾値とが比較されることにより、測定者の心理状態が数値化され、推定されたが、例えば、心拍数の変化や心拍ごとの拍動間隔の時系列変化を周波数解析した心拍変動性から得られる、“交換神経”のレベル及び“副交感神経”のレベルを用いても良い。具体的には、測定者の心拍数から、交換神経と、副交感神経とを取得し、交換神経が副交感神経より高いと、“アクティブ状態”と判定し、副交感神経が交換神経より高いと、“リラックス状態”と推定しても良い。
【００８７】
また、交感神経と副交感神経の偏りがない状態を“バランス状態”と推定することで、心理状態を“アクティブ状態”、“リラックス状態”、“バランス状態”の３つの状態のいずれかとしてもよい。なお、例えば測定された心拍数と、閾値とに基づいて“バランス状態”を定める場合、測定された心拍数が、ほぼ閾値の値と等しい場合（例えば、心拍数が閾値の±５％以内に入っている場合）に、“バランス状態”であると推定すれば良い。このような場合、心拍数が閾値＋５％より高い場合、“アクティブ状態”となり、閾値−５％より低い場合、“リラックス状態”となる。
【００８８】
そして、“バランス状態”は、例えば興奮が高まった際に推定される“アクティブ状態”よりリラックスした状態であり、疲労が大きい際に推定されるのは“リラックス状態”よりアクティブな状態である。したがって“バランス状態”は、測定者にとって適切な心理状態である。なお、詳細は後述するが、本実施形態では、測定者は、画面３３に表示される推定結果（アクティブ度□％〜リラックス度〇％）から、心理状態がどの程度“バランス状態”に近い状態にあるかを把握できる。
【００８９】
選択部１１２は、種々の情報に基づいて、記憶部１０１に記憶されたコンテンツ５１から、利用者に適したコンテンツを選択する。ところで、「利用者に適したコンテンツ」は、例えば、親や子供の心理状態、子供の月齢（首が座っているか否か、手遊びができるか否か）、時間帯（朝か夜か）、親と子の関係（母、父、祖父母、保育者等）等、様々な要因によって異なる。このため、詳細は後述するが、選択部１１２は、例えば、３つの異なる種類の心拍の測定回数、親や子供の心理状態、子供の月齢、時間帯、親の気質、コンテンツが実施された回数、子供への効果に基づいて、コンテンツを選択する。
【００９０】
指標算出部１１３は、子供用または親子用のコンテンツである“ふれあいコンテンツ”が実行された後に、端末２０から送信される情報に基づいて、“ふれあいポイント”を計算する。指標算出部１１３は、例えば、“ふれあいコンテンツ”が実行されたことを示す情報Ｉ２，Ｉ３を取得した場合、“ふれあいポイント”を“１”ポイント加算する。また、指標算出部１１３は、例えば、“ふれあいコンテンツ”が画面３３に表示された後に、親子の画像が端末２０からサーバ２１へと送信されると、“ふれあいポイント”を“２”ポイント加算する。なお、これ以外にも、例えば親子の画像が端末２０で取得された情報に基づいて、“ふれあいポイント”を所定のポイントだけ加算しても良い。なお、“ふれあいコンテンツ”が実行されたことを示す情報Ｉ２，Ｉ３、親子の画像、親子の画像が端末２０で取得された情報は、第１入力情報に相当する。
【００９１】
投稿情報処理部１１４は、端末２０から送信され、所定のソーシャルネットワーキングサービス（以下、ＳＮＳと称する。）において投稿された投稿情報１２５（後述）を、端末２０のブラウザ等で閲覧できるよう処理する。
【００９２】
＝＝記憶部１０１について＝＝
記憶部１０１は、利用者情報１２０、コンテンツ１２１、履歴情報１２２、推定情報１２３、撮影画像１２４、及び投稿情報１２５を記憶する。
【００９３】
利用者情報１２０は、利用者である子供と、親に関する情報であり、例えば、子供及び親の夫々の“識別情報”、“名前”、“住所”、“性別”、“身長”、“体重”“生年月日”等を含む。
【００９４】
コンテンツ１２１は、親や子供をリラックスさせるために、端末２０で再生される動画、画像である。なお、本実施形態では、コンテンツ１２１は、動画や画像であることとしたが、例えば、音声や音楽のみであっても良い。また、コンテンツ１２１の詳細については後述する。
【００９５】
履歴情報１２２は、過去に測定された親や子供の心拍の測定結果に関する情報である。具体的には、履歴情報１２２は、“親の心拍の測定結果Ｘ１”、“子の心拍の測定結果Ｘ２”、“親の心拍の測定回数”、“子の心拍の測定回数”、“親子の心拍の測定回数”を含む。なお、本実施形態では、制御部１００は、端末２０から送信される心拍の測定結果や、３種類（「親測定」、「子測定」、「親子測定」）のうち何れの測定が実施されたかを示す情報を受信する毎に、履歴情報５２を更新する。
【００９６】
推定情報１２３は、第１状態推定部１１０が過去に推定した親の心理状態を示す情報、つまり過去の心理状態の“推定結果”である。第１状態推定部１１０は、親の心理状態を推定する毎に、推定情報１２３を更新する。このため、推定情報１２３に基づいて、親の心理状態の傾向（“アクティブ状態”が多いのか、“リラックス状態”が多いのか）を把握することができる。
【００９７】
撮影画像１２４は、利用者によって撮影された親子や子の画像であり、投稿情報１２５は、サーバ２１の管理する所定のＳＮＳに投稿された情報である。
【００９８】
＝＝コンテンツ１２１の詳細＝＝
図４は、コンテンツ１２１を説明するための図である。コンテンツ１２１は、ｎ個の親用コンテンツＡ１〜Ａｎ（第１コンテンツ群）と、ｍ個の子供用コンテンツＢ１〜Ｂｍ（第２コンテンツ群）と、ｘ個の親子用コンテンツＣ１〜Ｃｘ（第３コンテンツ群）と、を含む。
【００９９】
ここで、「親用コンテンツ」とは、“親の心拍の測定”に応じて選択される、親に対するリラックスコンテンツであり、「子供用のコンテンツ」とは、“子供の心拍の測定”に応じて選択されるふれあいコンテンツである。また、「親子用のコンテンツ」とは、“親子の心拍の測定”に応じて選択されるふれあいコンテンツである。また、ここでは、ｎ個の親用コンテンツＡ１〜Ａｎを、「コンテンツ群Ａ（第１コンテンツ群）」とし、ｍ個の子供用コンテンツＢ１〜Ｂｍを「コンテンツ群Ｂ（第２コンテンツ群）」とし、ｘ個の親子用コンテンツＣ１〜Ｃｘを「コンテンツ群Ｃ（第３コンテンツ群）」とする。
【０１００】
ここで、利用者をリラックスさせるためのコンテンツＡ１〜Ｃｘには、例えば、“子供と一緒に散歩を促す動画”、“赤ちゃんと一緒に体操することを促す動画”、“深呼吸を促す動画”等が含まれる。ただし、上述のように、数多くのコンテンツの中から、利用者に適したコンテンツを提供するためには、利用者の心理状態や、時間帯、子供の月齢等、様々な項目を考慮する必要がある。具体的には、例えば、利用者の心理状態がアクティブ状態（例えば、心拍数が高く、活発な状態）や、夜間の場合、“子供と一緒に散歩を促す動画”を提供するのは一般的には好ましくない。
【０１０１】
また、例えば、子供の月齢が小さく、首が座っていない場合、“赤ちゃんと一緒に体操することを促す動画”を利用者に提供することは好ましくない。
【０１０２】
このため、本実施形態では、選択部１１２が利用者に適したコンテンツを選択できるよう、コンテンツＡ１〜Ｃｘの夫々に対して、様々な情報が付加されている。
【０１０３】
図５は、コンテンツ１２１に含まれる各コンテンツに付加された情報２００〜２０６を説明するための図である。
【０１０４】
情報２００は、心拍の測定回数を示す情報である。ここで、本実施形態では、心拍の測定回数が増加するにつれて、選択部１１２が選択可能なコンテンツ数が増加する。具体的には、コンテンツＡ１の情報２００は、“０”であるため、コンテンツＡ１は、最初から選択可能である。一方、コンテンツＡｎの情報２００は、“５”であるため、親の心拍の測定回数が５回以上にならない限り、選択対象とならない。
【０１０５】
また、コンテンツＢｍの情報２００は、“３０”であるため、子供の心拍の測定回数が３０回以上にならない限り、選択対象とならない。また、コンテンツＣｘの情報２００は、“３０”であるため、親子の心拍の測定回数が３０回以上にならない限り、選択対象とならない。
【０１０６】
詳細は後述するが、本実施形態では、心拍の測定回数が増加するにつれて、利用者に対して新なコンテンツが提供される。このため、利用者が継続してコンピュータシステム１０を利用し続けるモチベーションを向上させることができる。
【０１０７】
情報２０１は、推定された心理状態（“アクティブ状態”、または“リラックス状態”）を示す情報である。本実施形態では、例えば、コンテンツＡ１の情報２０１は、“アクティブ”であるため、親が“アクティブ状態”の際に選択対象となる。また、コンテンツＢ１，Ｃ１の情報２０１も“アクティブ”であるため、コンテンツＢ１は、子供が“アクティブ状態”の際に選択対象となり、コンテンツＣ１は、親子ともに“アクティブ状態”の際に選択対象となる。このため、本実施形態では、選択部１１２は、利用者の心理状態に合ったコンテンツを選択することができる。
【０１０８】
情報２０２は、子供の月齢を示す情報である。例えば、コンテンツＡ１の情報２０２は、“０〜１２”であるため、子供の月齢が０〜１２月の間、選択対象となる。
【０１０９】
情報２０３は、時間帯を示す情報である。例えば、コンテンツＡ１の情報２０３は、“朝”であるため、朝の時間帯に選択対象となる。なお、本実施形態において、「朝」は、例えば６時〜１１時の時間帯であり、「昼」は、１１時〜１６時の時間帯であり、「夕」は、１６時〜１８時の時間帯であり、「夜」は、１８時〜６時までの時間帯である。
【０１１０】
情報２０４は、親の過去の心理状態の傾向を示す情報である。例えば、コンテンツＡ１の情報２０４は、“アクティブ”であるため、過去の心理状態において、“アクティブ状態”の割合が高い親が対象となるコンテンツである。なお、情報２０４が“リラックス”であるコンテンツは、過去の心理状態において、“リラックス状態”の割合が高い親が対象となるコンテンツである。
【０１１１】
情報２０５は、コンテンツが実施された回数を示す情報である。例えば、コンテンツＡ１の情報２０５は、“５”であるため、コンテンツＡ１は、５回実施されている。
【０１１２】
情報２０６は、コンテンツが実施された際の子供の気分を数値で示した情報である。情報２０６は、コンテンツが実施された後に利用者から入力される情報に基づいて、計算される数値であり、子供用のコンテンツＢ１〜Ｂｍと、親子用のコンテンツＣ１〜Ｃｘに付加されている。また、コンテンツが実施された後、子供の状態が“ごきげん”である場合、“＋１”が割り当てられ、子供の状態が“ふつう”である場合、“０”が割り当てられ、子供の状態が“不機嫌”である場合、“−１”が割り当てられる。
【０１１３】
例えば、コンテンツＢ１が２回実施され、２回とも“ごきげん”が入力された場合、図４に示すように、コンテンツＢ１の情報２０６は、“２”となる。つまり、情報２０６の数値が高い程、より子供が好むコンテンツである。
【０１１４】
ここで、情報２００〜２０４は、例えばコンテンツ１２１が記憶される際に、予め設定された情報である。一方、“実施回数”に関する情報２０５は、制御部１００が、端末２０から送信される、上述したコンテンツの実施に関する情報Ｉ１〜Ｉ３に基づいて、コンテンツ１２１の情報２０５を更新する。また、“気分”に関する情報２０６は、制御部１００が、端末２０から送信される、上述した子供の状態に関する情報Ｉ４，Ｉ５に基づいて、コンテンツ１２１の情報２０６を更新する。なお、制御部１００が、情報２０５，２０６を更新する処理の詳細については後述する。
【０１１５】
＜＜＜ホーム画面の一例＞＞＞
図６は、端末２０のプログラムが起動された後に画面３３に表示されるホーム画面３００の一例である。ホーム画面３００は、例えば、心拍測定等の各種処理を実行させるための画面である。ホーム画面３００は、画像５００，５０１、ボタン６００〜６０２、アイコン８００〜８０４を含む。
【０１１６】
画像５００は、『ふれあいポイント』との文字と、“ふれあいポイント”の値との表示を含む画像であり、画像５０１は、『親子ココロバランス』との文字と、親子ココロバランスが一致した回数との表示を含む画像である。「親子ココロバランスが一致した回数」は、親子測定がされた際に、親子の推定された心理状態が一致した回数である。なお、“ふれあいポイント”の値や、「親子ココロバランスが一致した回数」は、適宜、表示処理部４４により更新される。
【０１１７】
ボタン６００は、『キモチをはかる』との表示を含み、心拍の測定を開始させるためのボタンである。
【０１１８】
ボタン６０１は、『ふれあう』との表示を含み、子供とふれあうための“ふれあいコンテンツ”を画面３３に表示させるためのボタンである。
【０１１９】
ボタン６０２は、『リラックス』との表示を含み、親をリラックスさせるための“リラックスコンテンツ”を画面３３に表示させるためのボタンである。
【０１２０】
アイコン８００は、『ホーム』との表示を含み、ホーム画面（不図示）を画面３３に表示させるためのアイコンである。
【０１２１】
アイコン８０１は、『履歴』との表示を含み、画面３３に過去の心理状態の集計結果等を表示させるためのアイコンである。
【０１２２】
アイコン８０２は、『ひろば』との表示を含み、画面３３にＳＮＳの画面を表示させるためのアイコンである。
【０１２３】
アイコン８０３は、『お知らせ』との表示を含み、画面３３にプログラムの管理者からの通知を表示させるためのアイコンである。
【０１２４】
アイコン８０４は、『設定』との表示を含み、利用者（親及び子供）の情報等を設定させるための処理を実行させるためのアイコンである。なお、ここでは、『設定』のアイコン８０4がタップされ、利用者の各種情報（例えば、名前、生年月日等）は設定され、サーバ２１の利用者情報１２０として記憶されていることとする。
【０１２５】
＝＝＝＝コンテンツ表示処理（コンテンツ表示方法）＝＝＝＝
図７は、コンピュータシステム１０で実行されるコンテンツ表示処理を示すフローチャートである。
【０１２６】
まず、図６のホーム画面３００の『キモチをはかる』のボタン６００がタップされると、測定処理が実行される（Ｓ１０）。図８は、測定処理の一例を示すフローチャートである。まず、表示処理部４３は、測定対象者を選択させる選択画面３０１（図９参照）を画面３３に表示させる（Ｓ１００）。選択画面３０１は、『自分の測定をする』との表示を含むボタン６１０（第１画像）、『子の測定をする』との表示を含むボタン６１１（第２画像）、『親子の測定をする』との表示を含むボタン６１２（第３画像）を含む。
【０１２７】
そして、表示処理部４３は、『自分の測定をする』のボタン６１０がタップされると（Ｓ１０１：親）、図１０に示す親用の測定画面３０２を画面３３に表示させる（Ｓ１０２）。測定画面３０２は、『測定する』との表示を含むボタン６２０を含む。
【０１２８】
そして、『測定する』のボタン６２０がタップされると、測定処理部４０は、親の心拍の測定を開始させる（Ｓ１０３）。心拍の測定が終了すると、第１取得処理部４１は、親の心拍の測定結果Ｘ１を取得する（Ｓ１０４：第１取得処理（第１取得ステップ））。
【０１２９】
また、処理Ｓ１０１において、表示処理部４３は、『子の測定をする』のボタン６１１がタップされると（Ｓ１０１：子）、図１１に示す子供用の測定画面３０３を画面３３に表示させる（Ｓ１０５）。測定画面３０３は、『測定する』との表示を含むボタン６２１を含む。
【０１３０】
そして、『測定する』のボタン６２１がタップされると、測定処理部４０は、子供の心拍の測定を開始させる（Ｓ１０６）。心拍の測定が終了すると、第２取得処理部４２は、子供の心拍の測定結果Ｘ２を取得する（Ｓ１０７：第２取得処理（第２取得ステップ））。
【０１３１】
また、処理Ｓ１０１において、表示処理部４３は、『親子の測定をする』のボタン６１２がタップされると（Ｓ１０１：親子）、上述した処理Ｓ１０２〜Ｓ１０４を含む親測定処理が実行される（Ｓ１０８）。さらに、処理Ｓ１０８が終了すると、上述した処理Ｓ１０２〜Ｓ１０４を含む子供測定処理が実行される（Ｓ１０９）。
【０１３２】
したがって、測定処理Ｓ１０において、“親の心拍測定”が実行されると、親の心拍の測定結果Ｘ１が取得され、“子の心拍測定”が実行されると、子供の心拍の測定結果Ｘ２が取得され、“親子の心拍測定”が実行されると、親子の心拍の測定結果Ｘ１，Ｘ２が取得されることになる。
【０１３３】
図７の処理Ｓ１０が実行されると、通信部３６は、処理Ｓ１０で取得された測定結果を、サーバ２１に送信する（Ｓ１１）。
【０１３４】
そして、サーバ２１の制御部１００は、測定結果を取得し、記憶部１０１に格納する（Ｓ１２）。この結果、“測定結果Ｘ１”、“測定結果Ｘ２”、“親の心拍の測定回数”、“子の心拍の測定回数”、“親子の心拍の測定回数”を含む履歴情報１２２が更新される。例えば、処理Ｓ１１で、サーバ２１に測定結果Ｘ１が送信されると、制御部１００は、“測定結果Ｘ１”と、“親の心拍の測定回数”とが更新される。
【０１３５】
処理Ｓ１２が実行されると、制御部１００では、測定者の心理状態の推定が実行される（Ｓ１３）。具体的には、親の心拍が測定され、“測定結果Ｘ１”が送信された場合、第１状態推定部１１０は、測定結果Ｘ１に基づいて、親の心理状態を推定する（Ｓ１３：第１推定処理）。また、子の心拍が測定され、“測定結果Ｘ２”が送信された場合、第２状態推定部１１１は、測定結果Ｘ２に基づいて、子供の心理状態を推定する（Ｓ１３：第２推定処理）。親子の心拍がともに測定され、“測定結果Ｘ１”，“測定結果Ｘ２”が送信された場合、第１状態推定部１１０、第２状態推定部１１１は、親と子供の心理状態を夫々推定する。
【０１３６】
なお、第１状態推定部１１０、第２状態推定部１１１は、推定した推定結果を、記憶部１０１に格納する（Ｓ１３）。この結果、推定情報１２３が更新されることになる。
【０１３７】
つぎに、選択部１１２は、推定結果等に基づいて、コンテンツを選択する選択処理を実行する（Ｓ１４）。図１２は、選択処理Ｓ１４の詳細を示す図である。
【０１３８】
まず、選択部１１２は、例えば処理Ｓ１１で取得された測定結果に基づいて、コンテンツ群を特定する（Ｓ２００）。具体的には、選択部１１２は、“測定結果Ｘ１”が取得された際、親用の“コンテンツ群Ａ”を特定し、“測定結果Ｘ２”が取得された際、“子供用のコンテンツ群Ｂ”を特定し、“測定結果Ｘ１”及び““測定結果Ｘ２”が取得された際、“親子用のコンテンツ群Ｃ”を特定する。
【０１３９】
つぎに、選択部１１２は、現在の“測定回数”を含む履歴情報１２２と、図５で説明したコンテンツ１２１の情報２００（“測定回数”を示す情報）とを参照し、特定されたコンテンツ群の中から“測定回数”の条件を満たすコンテンツを特定する（Ｓ２０１）。例えば、親用の心拍の測定回数が“５０”回以上である場合、コンテンツ群Ｂに含まれる全てのコンテンツが特定される。
【０１４０】
また、選択部１１２は、今回の測定者の心理状態の推定結果を含む推定情報１２３と、コンテンツ１２１の情報２０１（“推定結果”を示す情報）を参照し、処理Ｓ２０１で特定されたコンテンツの中から“推定結果”の条件を満たすコンテンツを特定する（Ｓ２０２）。例えば、今回の親の心理状態が“アクティブ状態”である場合、コンテンツ群Ｂのうち、“アクティブ”との情報２０１が付されたコンテンツＢ１，Ｂ２等が特定される。
【０１４１】
選択部１１２は、現在の日付及び利用者情報１２０から計算された、生後からの期間である“月齢”と、コンテンツ１２１の情報２０２（月齢”を示す情報）を参照し、処理Ｓ２０２で特定されたコンテンツの中から“月齢”の条件を満たすコンテンツを特定する（Ｓ２０３）。なお、本実施形態では、例えば制御部１００が、現在の日付及び利用者情報１２０の子供の生年月日から、子供の月齢を計算する。
【０１４２】
処理Ｓ２０３が実行されると、選択部１１２は、現在の時刻と、コンテンツ１２１の情報２０３（“時間帯”を示す情報）を参照し、処理Ｓ２０３で特定されたコンテンツの中から“時間帯”の条件を満たすコンテンツを特定する（Ｓ２０４）。
【０１４３】
また、選択部１１２は、推定情報１２３と、コンテンツ１２１の情報２０４（“心理状態傾向”を示す情報）を参照し、処理Ｓ２０４で特定されたコンテンツの中から“心理状態の傾向”の条件を満たすコンテンツを特定する（Ｓ２０５）。
【０１４４】
選択部１１２は、処理Ｓ２０５で特定されたコンテンツにおいて、コンテンツの“実施回数”を示す情報２０５、“気分”を示す情報２０６を参照し、利用者に提供するコンテンツを１つ特定する（Ｓ２０６）。ここで、選択部１１２がコンテンツを１つ特定する際の処理の一例を、以下に説明する。
【０１４５】
処理Ｓ２０５で特定されたコンテンツが、親用のコンテンツ群ＡのコンテンツＡ１０〜１５である場合、例えば、選択部１１２は、コンテンツＡ１０〜１５の夫々の“実施回数”の値に対し、生成した乱数を加え、最も大きい数値（実施回数＋乱数）のコンテンツを特定する。
【０１４６】
また、処理Ｓ２０５で特定されたコンテンツが、子供用のコンテンツ群ＢのコンテンツＢ２０〜３０である場合、例えば、選択部１１２は、コンテンツＢ２０〜３０の夫々の“実施回数”の値と、“気分”の値に対し、生成した乱数を加え、最も大きい数値（実施回数＋気分＋乱数）のコンテンツを特定する。
【０１４７】
また、処理Ｓ２０５で特定されたコンテンツが、親子用のコンテンツ群ＣのコンテンツＣ３０〜３５である場合、例えば、選択部１１２は、コンテンツＣ３０〜３５の夫々の“実施回数”の値と、“気分”の値に対し、生成した乱数を加え、最も大きい数値（実施回数＋気分＋乱数）のコンテンツを特定する。なお、処理Ｓ２０５では、例えば乱数が用いられることとしたが、一例であるため、他の方法で、コンテンツを特定しても良い。具体的には、選択部１１２は、新に選択可能となったコンテントを優先的に特定し、そのようなコンテンツが無い場合には、“実施回数”と、“気分”の値との和が所定値（例えば、“０”）を超えるコンテンツからランダムに選択しても良い。
【０１４８】
そして、選択部１１２は、処理Ｓ２０６で特定された１つのコンテンツを、利用者に提供するコンテンツとして選択する（Ｓ２０７）。
【０１４９】
処理Ｓ２０７でコンテンツが選択されると、サーバ２１の通信部１０２は、図７に示すように、処理Ｓ１３で得られた心理状態の推定結果と、選択された選択コンテンツに関する情報と、を送信する（Ｓ１５）。なお、「選択コンテンツに関する情報」としては、例えば、サーバ２１における選択コンテンツの格納先を示す情報である。ただし、選択コンテンツそのものが端末２０に送信されても良い。
【０１５０】
端末２０の通信部３６が、推定結果と、選択コンテンツに関する情報と、を受信すると、表示処理部４３は、受信した情報等を表示するとともに、受付処理部４４は、選択コンテンツの実施に関する情報を受け付ける処理を実行する（Ｓ１６）。なお、処理Ｓ１６の詳細は、“親用”、“子供用”、“親子用”で異なるため、以下、別々に説明する。
【０１５１】
＜＜親用の表示・受付処理（Ｓ１６ａ）＞＞
図１３は、親用の表示・受付処理（Ｓ１６ａ）の一例を示すフローチャートである。まず、第１表示処理部６０は、図１４に示す親用の画面３１０を画面３３に表示させる（Ｓ３００）。
【０１５２】
親用の画面３１０は、推定結果を示す画像６３０、画像６３１、ボタン６３２〜６３５を含む。
【０１５３】
推定結果を示す画像６３０は、推定結果に基づいて、測定者である親の心理状態が“リラックス気味”であるか、“アクティブ気味”であるかを示す画像である。なお、画像６３０には、心理状態が数値化された情報（“リラックス度”、“アクティブ度”）も含み、ここでは、“アクティブ度”が“６８％”と表示されている。
【０１５４】
画像６３１は、測定者である親の気持ちの入力を促す入力画像であり、『今のあなたのキモチは？』とのメッセージを含む。
【０１５５】
ボタン６３２は、『子の測定をする』との表示を含み、子供の心拍の測定を開始させるためのボタンである。
【０１５６】
ボタン６３３は、『リラックスコンテンツをみる』との表示を含み、親の測定結果等に基づいて、選択処理Ｓ１４で選択された、親をリラックスさせるためのコンテンツを表示させるためのボタンである。
【０１５７】
ボタン６３４は、『総合結果をみる』との表示を含み、“親子”がともに測定された際の、“親子”の心理状態等を画面３３に表示させるためのボタンである。なお、『総合結果をみる』とのボタン６３３は、“子供”と“親”のうち、一方の測定実施された後に他方の測定が実施された場合、“子供”とともに“親”の測定が実施された際のみに選択可能となる。したがって、ここでは、“子供”の測定が実施されていた場合に選択可能となる。
【０１５８】
ボタン６３５は、『終了する』との表示を含み、現在表示されている画面３１０を終了し、ホーム画面３００を表示させるためのボタンである。
【０１５９】
また、親用の画面３１０が表示されている際に、『子の測定をする』とのボタン６３２がタップされると（図１３の処理Ｓ３０１：子の測定）、上述した図８の測定処理Ｓ１０における、子供用の測定画面が表示される（図８のＳ１０５）。この結果、測定者は、親の測定に続いて、子供の心拍の測定をすることができる。
【０１６０】
また、『リラックスコンテンツをみる』とのボタン６３３がタップされると（図１３の処理Ｓ３０１：リラックスコンテンツ）、第１表示処理部６０は、図１５に示す、リラックスコンテンツ６４０ａ（第１コンテンツ）を含む画面３１１を、画面３３に表示させる（Ｓ３０２：第１表示処理（第１表示ステップ））。なお、リラックスコンテンツ６４０ａは、『１杯のホットココアでほっと一息ついてみよう』との文字が表示された、再生可能な動画である。このような動画を親が視聴し、例えばココアを飲むことにより、親はリラックスをすることが可能となる。
【０１６１】
また、第１入力画像表示処理部６３は、リラックスコンテンツ６４０ａの実施に関する情報Ｉ１を入力するための入力画像６４０ｂ（第１入力画像）を、画面３３に表示させる（Ｓ３０３：第１入力画像表示処理）。
【０１６２】
入力画像６４０ｂは、『コンテンツ実施後の今のキモチは？』とのメッセージと、プルダウンメニュー６４１、ボタン６４２，６４３を含む。
【０１６３】
プルダウンメニュー６４１は、リラックスコンテンツ６４０ａの実施に関する情報Ｉ１を入力（選択）させるための選択肢である。プルダウンメニュー６４１は、図１６に示すように、『実施しなかった』との選択肢と、実施したことを示すとともに、親の心理状態を示す複数の選択肢を含む。例えば、実施した際の親の心理状態を示す選択肢としては、例えば『非常にリラックスしている』、『ややリラックスしている』、『どちらともいえない』、『ややストレスを感じている』、『非常にストレスを感じている』等である。これらの選択肢が選択されることにより、より、コンテンツが実施された後の親の気持ちが細かく記録されることになる。
【０１６４】
ボタン６４２は、『もう一度測定をする』との表示を含み、例えば、コンテンツ実施後の効果を確認するために、親の測定を再度実行させるためのボタンである。
【０１６５】
ボタン６４３は、『終了する』との表示を含み、現在表示されている画面３１２を終了し、ホーム画面３００を表示させるためのボタンである。
【０１６６】
図１３の処理Ｓ１６ａにおいて、例えば、利用者がプルダウンメニュー６４１から、選択肢を選択し、『終了する』とのボタン６４３をタップすると、第１受付処理部８０は、リラックスコンテンツ６４０ａの実施に関する、プルダウンメニュー６４１の選択肢の情報を受け付ける（Ｓ３０４）。
【０１６７】
＜＜子供用の表示・受付処理（Ｓ１６ｂ）＞＞
図１７は、子供用の表示・受付処理（Ｓ１６ｂ）の一例を示すフローチャートである。まず、第２表示処理部６１は、図１８に示す子供用の画面３１２を画面３３に表示させる（Ｓ３１０）。
【０１６８】
子供用の画面３１２は、推定結果を示す画像６５０、画像６５１、ボタン６５２〜６５５を含む。
【０１６９】
推定結果を示す画像６５０は、推定結果に基づいて、測定者である子供の心理状態が“リラックス状態”であるか、“アクティブ状態”であるかを示す画像である。なお、画像６５０には、推定された状態（“リラックス”）との表示に加え、測定された心拍数の情報（“心拍数：６５”）も表示されている。
【０１７０】
画像６５１は、測定者である子供の状態（機嫌）の入力を促す入力画像であり、『ご機嫌は？』とのメッセージを含む。なお、画像６５１は、プルダウンメニューであり、例えば、ふれあいコンテンツを実施する前の子供の機嫌（ごきげん、ふつう、不機嫌）が選択可能である。
【０１７１】
ボタン６５２は、『自分の測定をする』との表示を含み、親の心拍の測定を開始させるためのボタンである。
【０１７２】
ボタン６５３は、『ふれあいコンテンツをみる』との表示を含み、子供の測定結果等に基づいて、選択処理Ｓ１４で選択されたコンテンツを表示させるためのボタンである。
【０１７３】
ボタン６５４は、『総合結果をみる』との表示を含み、“親子”がともに測定された際の、“親子”の心理状態等を画面３３に表示させるためのボタンである。なお、『総合結果をみる』とのボタン６３３は、“子供”と“親”のうち、一方の測定実施された後に他方の測定が実施された場合、“子供”とともに“親”の測定が実施された際のみに選択可能となる。したがって、ここでは、“親”の測定が実施されていた場合に選択可能となる。
【０１７４】
ボタン６５５は、『終了する』との表示を含み、現在表示されている画面３１２を終了し、ホーム画面３００を表示させるためのボタンである。
【０１７５】
また、子供用の画面３１２が表示されている際に、『自分の測定をする』とのボタン６５２がタップされると（図１７の処理Ｓ３１１：自分の測定）、上述した図８の測定処理Ｓ１０における、子供用の測定画面が表示される（図８のＳ１０２）。この結果、測定者は、子供の測定に続いて、親（自分）の心拍の測定をすることができる。
【０１７６】
また、『ふれあいコンテンツをみる』とのボタン６５３がタップされると（図１７の処理Ｓ３１１：ふれあいコンテンツ）、第２表示処理部６１は、図１９に示す、ふれあいコンテンツ６６０ａを含む画面３１３を、画面３３に表示させる（Ｓ３１２：第２表示処理（第２表示ステップ））。なお、処理Ｓ３１２で表示されるふれあいコンテンツ６６０ａ（第２コンテンツ）は、子供用のコンテンツ群Ｂから選択された「子供用のコンテンツ」である。また、ふれあいコンテンツ６６０ａは、『オムツ替えソング』との文字が表示された、再生可能な動画である。このような動画を親が視聴し、例えば子供のオムツを替えることにより、親はリラックスしながら、子供とふれあうことが可能となる。
【０１７７】
また、第２入力画像表示処理部６４及び第４入力画像表示処理部６６は、ふれあいコンテンツ６６０ａの実施に関する情報Ｉ２と、子供の状態に関する情報Ｉ４と、を入力するための入力画像６６０ｂ（第２入力画像，第４入力画像）を、画面３３に表示させる（Ｓ３１３：第２及び第４入力画像表示処理）。
【０１７８】
入力画像６６０ｂは、『コンテンツ実施後の今のキモチは？』とのメッセージと、プルダウンメニュー６６１、ボタン６６２〜６６４を含む。
【０１７９】
プルダウンメニュー６６１は、ふれあいコンテンツ６６０ａの実施に関する情報Ｉ２と、ふれあいコンテンツ６６０ａが実施された際の子供の状態に関する情報Ｉ４と、を入力（選択）させるための選択肢である。プルダウンメニュー６６１は、選択肢として、『実施しなかった』との選択肢と、実施した際の親子の心理状態を示す選択肢と、を含む。
【０１８０】
ここで、実施した際の親子の心理状態を示す選択肢とは、図２０に示すように、親の状態（リラックス〜ストレス）と、子の状態（ご機嫌〜不機嫌）とを組み合わせからなる選択肢であり、例えば『親はリラックス、子はごきげん』、『親はリラックス、子はふつう』、『親はリラックス、子は不機嫌』、『親はふつう、子はごきげん』等である。
【０１８１】
これらの選択肢が選択されることにより、コンテンツが実施されたか否かの情報Ｉ２と、コンテンツが実施された後の子の気持ち（親の気持ちを含む）を示す情報Ｉ４と、を細かく記録することができる。
【０１８２】
ボタン６６２は、『自分の測定をする』との表示を含み、例えば、コンテンツ実施後の自分の効果を確認するために、自分（親）の測定を実行させるためのボタンである。
【０１８３】
ボタン６６３は、“画像撮影（写真撮影）”を開始させるためのボタンであり、ボタン６６３がタップされると、カメラ３４が起動する。利用者は、コンテンツの実施後に、ボタン６６３をタップすることにより、コンテンツ実施後の子供や親子の表情を記録することができる。なお、例えば、ボタン６６３には、例えば『コンテンツ実施後の親子の様子を撮影してね！』との親子画像の撮影を促すメッセージが入っていても良い。
【０１８４】
このような場合、利用者が、コンテンツ実施後の写真撮影を行うことを促進することができる。
【０１８５】
ボタン６６４は、『終了する』との表示を含み、現在表示されている画面３１３を終了し、ホーム画面３００を表示させるためのボタンである。
【０１８６】
図１７の処理Ｓ１６ｂにおいて、例えば、利用者がプルダウンメニュー６６１から、選択肢を選択し、『終了する』とのボタン６６４をタップすると、第２受付処理部８１及び第４受付処理部８３の夫々は、プルダウンメニュー６６１の選択肢の情報Ｉ２と、情報Ｉ４及び画像（取得された場合）と、を受け付ける（Ｓ３１４：第２及び第４受付処理）。
【０１８７】
＜＜親子用の表示・受付処理（Ｓ１６ｃ）＞＞
図２１は、親子用の表示・受付処理（Ｓ１６ｃ）の一例を示すフローチャートである。なお、親子用の表示・受付処理（Ｓ１６ｃ）が実行されるのは、親子の心拍の測定がされ、親子の測定結果Ｘ１，Ｘ２がともに取得された場合である。具体的には、“親子測定”が実施された場合か、“親”、“子供”の一方が測定された後に連続して他方が測定され、ボタン６３４，６５４の『総合結果をみる』がタップされた場合である。
【０１８８】
まず、第３表示処理部６２は、図２２，２３に示す親子用の画面３２０ａ，３２０ｂを画面３３に表示させる（Ｓ３２０）。なお、画面３２０ｂは、例えば、画面３３がスクロールされると、画面３２０ａに続いて表示される画面である。
【０１８９】
親子用の画面３２０ａは、推定結果を示す画像７００、画像７０１を含む。推定結果を示す画像７００は、推定結果に基づいて、親子の心理状態のそれぞれが“リラックス状態”であるか、“アクティブ状態”であるかを示す画像である。
【０１９０】
画像７０１は、親子の心理状態が、４つの分類（“親：リラックス、子：アクティブ”、“親：アクティブ、子：リラックス”、“親子でリラックス”、“親子でアクティブ”）のうち、何れの状態であるかを示す画像である。
【０１９１】
また、画面３２０ｂは、画像７１０、ボタン７１１〜７１４を含む。画像７１０は、親をリラックスさせるためのアドバイスを含む画像の一例である。画像７１０には、例えば、『親は「アクティブ」、子は「リラックス」ですね。ハーブティーや音楽を聞いてリラックスしてみては？』とのアドバイスを含む。
【０１９２】
ボタン７１１は、『投稿する』との表示を含み、後述するＳＮＳへ、推定結果やコメント等を投稿させるためのボタンである。
【０１９３】
ボタン７１２は、『リラックス』との表示を含み、親子の心拍がともに測定された際の“親”の推定結果に基づいた“リラックスコンテンツ”を表示させるためのボタンである。
【０１９４】
ボタン７１３は、『ふれあう』との表示を含み、親子の心拍がともに測定された際の“親子”の推定結果に基づいた“ふれあいコンテンツ”を表示させるためのボタンである。
【０１９５】
ボタン７１４は、『終了する』との表示を含み、現在表示されている画面３２０ｂを終了し、ホーム画面３００を表示させるためのボタンである。
【０１９６】
また、親子用の画面３２０ｂが表示されている際に、『リラックス』とのボタン７１２がタップされると（図２１の処理Ｓ３２１：リラックス）、上述した処理Ｓ３０２〜Ｓ３０４と同じ内容の処理Ｓ３２２〜Ｓ３２４が実行される。このため、ここでは、処理Ｓ３２２〜３２４の詳細な説明は省略する。
【０１９７】
一方、親子用の画面３２０ｂが表示されている際に、『ふれあう』とのボタン７１３がタップされると（図２１の処理Ｓ３２１：ふれあう）、上述した処理Ｓ３１２〜Ｓ３１４と同様の処理Ｓ３２５〜Ｓ３２７が実行される。
【０１９８】
具体的には、まず、第３表示処理部６２は、図２４に示す、ふれあいコンテンツ６７０ａを含む画面３３０を、画面３３に表示させる（Ｓ３２５：第３表示処理（第３表示ステップ））。
【０１９９】
ここで、ふれあいコンテンツ６７０ａ（第３コンテンツ）は、『ベビーマッサージの紹介動画』との文字が表示された、再生可能な動画である。なお、処理Ｓ３２５で表示されるふれあいコンテンツ６７０ａは、親子用のコンテンツ群Ｃから選択された「親子用のコンテンツ」である。また、本実施形態のふれあいコンテンツ６７０ａである『ベビーマッサージの紹介動画』には、例えば、親と子供の心音に基づいて生成された音楽含まれている。このような動画を親子で視聴し、例えば子供のベビーマッサージを行うことにより、子供をよりリラックスさせることができる。
【０２００】
また、第３入力画像表示処理部６５及び第５入力画像表示処理部６７は、ふれあいコンテンツ６７０ａの実施に関する情報Ｉ３と、子供の状態に関する情報Ｉ５と、を入力するための入力画像６７０ｂ（第３入力画像，第５入力画像）を、画面３３に表示させる（Ｓ３２６：第３及び第５入力画像表示処理）。
【０２０１】
入力画像６７０ｂは、『コンテンツ実施後の今のキモチは？』とのメッセージと、プルダウンメニュー６７１、ボタン６７２〜６７４を含む。
【０２０２】
プルダウンメニュー６７１は、ふれあいコンテンツ６７０ａの実施に関する情報Ｉ３と、ふれあいコンテンツ６７０ａが実施された際の子供の状態に関する情報Ｉ５と、を入力（選択）させるための選択肢である。プルダウンメニュー６７１は、選択肢として、『実施しなかった』との選択肢と、実施した際の親子の心理状態を示す選択肢と、を含む。なお、プルダウンメニュー６７１は、上述した、図２０のプルダウンメニュー６６１と同様であり、ボタン６７２〜６７４の夫々は、上述したボタン６６２〜６６４と同じである。このため、プルダウンメニュー６７１、ボタン６７２〜６７４の詳細な説明は省略する。
【０２０３】
図２１の処理Ｓ１６ｃにおいて、例えば、利用者がプルダウンメニュー６７１から、選択肢を選択し、『終了する』とのボタン６７３をタップすると、第３受付処理部８２及び第５受付処理部８４の夫々は、プルダウンメニュー６７１の選択肢の情報Ｉ３と、情報Ｉ５及び撮影された画像（撮影された場合）と、を受け付ける（Ｓ３２７：第３及び第５受付処理）。
【０２０４】
図７において、上述した処理Ｓ１６（“親用の処理Ｓ１６ａ”、“子供用の処理Ｓ１６ｂ”、または“親子用の処理Ｓ１６ｃ”）が実行されると、制御部３１は、処理Ｓ１６で、情報Ｉ１〜Ｉ５や撮影された画像等の情報（以下、「受付情報」）の有無判定する（Ｓ１７）。そして、制御部３１は、受付情報がない場合（Ｓ１７：Ｎｏ）、一連の処理は終了する。
【０２０５】
一方、受付情報がある場合（Ｓ１７：Ｙｅｓ）、通信部３６は、受付情報を、サーバ２１に対し送信する（Ｓ１８）。
【０２０６】
サーバ２１の制御部１００は、受付情報を取得し、記憶部１０１に格納する（Ｓ１９）。具体的には、制御部１００は、受付情報のうち、情報Ｉ１に基づいて、コンテンツ群Ａの情報２０５（“実施回数”を示す情報）を更新し、情報Ｉ２に基づいて、コンテンツ群Ｂの情報２０５を更新し、情報Ｉ３に基づいて、コンテンツ群Ｃの情報２０５を更新する。
【０２０７】
また、制御部１００は、受付情報のうち、情報Ｉ４に基づいて、コンテンツ群Ｂの情報２０６（“気分”を示す情報）を更新し、情報Ｉ５に基づいて、コンテンツ群Ｃの情報２０６をする。
【０２０８】
さらに、制御部１００は、受付情報のうち、撮影された画像を記憶部１０１に格納し、撮影画像１２４を更新する。
【０２０９】
そして、制御部１００は、受付情報に、コンテンツ群Ｂ，Ｃの“ふれあいコンテンツ”が実行されたことを示す情報Ｉ２，Ｉ３、または撮影された画像が含まれているか否かを判定する（Ｓ２０）。
【０２１０】
“ふれあいコンテンツ”が実行されたことを示す情報Ｉ２，Ｉ３、または撮影された画像が含まれていない場合（Ｓ２０：Ｎｏ）、一連の処理は終了する。
【０２１１】
一方、“ふれあいコンテンツ”が実行されたことを示す情報Ｉ２，Ｉ３、または撮影された画像が含まれている場合（Ｓ２０：Ｙｅｓ）、指標算出部１１３は、“ふれあいポイント”を算出（計算）する（Ｓ２１：指標算出処理）。
【０２１２】
具体的には、指標算出部１１３は、上述のように“ふれあいコンテンツ”が実行されたことを示す情報Ｉ２または情報Ｉ３を取得した場合、“ふれあいポイント”を“１”ポイント加算する。また、指標算出部１１３は、例えば、撮影された画像に親子が含まれている場合、“ふれあいポイント”を“２”ポイント加算する。
【０２１３】
指標算出部１１３が“ふれあいポイント”を計算すると、通信部１０２は、計算された“ふれあいポイント”を、端末２０に送信する（Ｓ２２）。
【０２１４】
そして、指標表示処理部６８は、受信した“ふれあいポイント”の画像５００を含むホーム画面３００を、画面３３に表示する（Ｓ２３）。このように、コンテンツ群Ｂ，Ｃの“ふれあいコンテンツ”が実行されると、ホーム画面３００の“ふれあいポイント”は増加する。したがって、利用者は、画面３３に表示されるコンテンツを実行することにより、子供とのふれいあいを継続して行うモチベーションを高めることができる。
【０２１５】
＝＝＝＝ＳＮＳ投稿処理＝＝＝＝
図２５は、利用者が推定結果等をＳＮＳへ投稿する際に実行される処理の一例を示す図である。なお、本実施形態では、利用者が、例えば“親子測定”を実行した際に、推定結果や各種情報をＳＮＳへ投稿できることとする。
【０２１６】
まず、利用者は、図２３で示した“親子測定”が実行された際の画面３２０ｂにおいて、『投稿する』とのボタン７１１をタップすると、表示処理部４３は、投稿画面３５０を、画面３３に表示させる（Ｓ５００）。
【０２１７】
投稿画面３５０は、図２６に示すように、画像７００、画像７０１、テキスト入力欄７５０、画像選択欄７５１、ボタン７５２を含む。なお、画像７００，７０１は、図２２で表示された画像と同じである。
【０２１８】
テキスト入力欄７５０は、測定後における利用者のコメントを入力するための領域であり、利用者は、例えば、“ふれあいコンテンツ”を実施した後の感想や、効果、子供の反応等を入力することができる。
【０２１９】
画像選択欄７５１は、例えば測定後に、子供とともに取得した画像（写真）を選択さするための領域である。
【０２２０】
ボタン７５２は、『投稿する』との表示を含み、画像７００，７０１とともに、テキスト入力欄７５０に入力された情報と、画像選択欄７５１で選択された画像とを、サーバ２１へ投稿させるボタンである。なお、テキスト入力欄７５０に入力された情報と、画像選択欄７５１で選択された画像とは、第２入力情報に相当する。
【０２２１】
そして、利用者が、『投稿する』とのボタン７５２をタップすると、受付処理部４４は、画像７００，７０１と、テキスト入力欄７５０に入力されたテキストと、画像選択欄７５１で選択された画像と、を含む投稿情報を受け付ける（Ｓ５０１）。
【０２２２】
また、処理Ｓ５０１で、投稿情報が受け付けられると、通信部３６は、投稿情報をサーバ２１に送信する（Ｓ５０２）。
【０２２３】
そして、サーバ２１は、受信した投稿情報を記憶部１０１に格納する（Ｓ５０３）。この結果、記憶部１０１の投稿情報１２５は更新されることになる。
【０２２４】
図２７は、投稿情報を表示するＳＮＳの画面３６０の一例である。画面３６０は、利用者の投稿された画像７６０と、アイコン７６１とを含む。
【０２２５】
画像７６０は、利用者が投稿した投稿情報を表示する画像であり、『とてもリラックスしています』との、利用者が入力したテキスト情報７７０と、利用者が撮影し、選択した子供との画像７７１と、親子測定の結果を示す画像７７２とを含む。
【０２２６】
また、アイコン７６１は、『ｎｉｃｅ』との表示を含み、閲覧者が投稿内容を良いと思った際にタップされるアイコンである。このため、アイコン７６１がタップされる毎に、『ｎｉｃｅ』のポイント（現在は“０”）が“１”ポイント増加する。
【０２２７】
なお、本実施形態の表示処理部４３は、例えば、『ｎｉｃｅ』のポイントの高い順に、投稿を表示させることができる。このため、ＳＮＳの利用者は、例えば子供をリラックスさせる際に効果的であった投稿を容易に閲覧できるため、子育てのストレスを容易に軽減できる。
【０２２８】
また、サーバ２１の投稿情報処理部１１４は、投稿情報に付された『ｎｉｃｅ』のポイントが所定のポイントとなると、所定のポイントの『ｎｉｃｅ』に対応する投稿情報を投稿した利用者へ、コメントの作成通知を送信する。なお、コメントの作成通知とは、例えば『投稿した情報が非常に参考になりました。是非、詳細な内容をＳＮＳにアップして下さい！』との通知である。
【０２２９】
このようなコメントが利用者に通知されることにより、より子育てにより有益な情報がＳＮＳに投稿されることになる。
【０２３０】
また、本実施形態のアイコン７６１は、“いいね”を意味する『ｎｉｃｅ』との表示を含むこととしたが、例えば、“わかる！”等の共感を示すアイコンや、“がんばれ！”等の応援をするためのアイコンであっても良い。
【０２３１】
また、本実施形態のＳＮＳでは、投稿情報に対するコメントを入力する欄は設けられていない。このため、投稿情報に対し、誹謗や中傷を含むコメントが入力されることを防ぐことができる。
【０２３２】
＝＝＝心拍及び気分（心理状態）の相関を確認する実験＝＝＝
本実施形態では、測定者の心拍に基づいて、測定者の心理状態を推定しているが、測定者の心拍変動（ＨＲＶ：Heart rate variability）と、測定者の心理状態を示す“気分”とに相関があることを検証した実験Ｅについて説明する。
【０２３３】
＜＜対象＞＞
実験Ｅでは、例えば、１９組の母と子供とが対象となった。なお、１９人の母の平均年齢は、例えば３０．４歳であり、２０〜３８歳までの母が含まれている。一方、１９人の子供の平均月齢は、例えば生後５．７月であり、生後３〜８月までの子供が含まれている。
【０２３４】
＜＜心拍変動＞＞
実験Ｅでは、母が、自身と子供との心拍変動を、１日に数回、２週間に亘って測定した。なお、心拍変動は、以下の式で得られる。
Ｎｕ＝ＬＦ／（ＬＦ＋ＨＦ）×１００
ここで、“Ｎｕ”は心拍変動を示す値（例えば、〇％）であり、“ＬＦ”は、測定した心拍変動の低周波成分（例えば、０．００４〜０．１５Ｈｚ）であり、“ＨＦ”は、測定した心拍変動の高周波成分（０．１５〜０．４Ｈｚ）である。
【０２３５】
また、実験Ｅでは、例えば、心拍変動が測定される際に、母は、自身の気分と、子供の気分とを記録した。図２８は、母の気分の選択肢と、子供の気分の選択肢とを説明するための図である。母及び子供の夫々の気分は、５つの選択肢から選択可能である。母の気分を示す選択肢には、『１．非常にリラックス』、『２．リラックス』、『３．ふつう』、『４．ストレス』、『５．非常にストレス』が含まれる。一方、子供の気分を示す選択肢には、『１．非常に良い』、『２．良い』、『３．ふつう』、『４．不機嫌』、『５．非常に不機嫌』が含まれる。
【０２３６】
そして、母は、例えば心拍変動が測定される度に、母の気分と、子供の気分とを選択し、記録する。なお、図２８で示す選択肢は、例えば、端末の画面３３に表示され、母により選択されて、選択結果は記憶部３０に記録されても良い。
【０２３７】
＜＜解析結果＞＞
図２９は、実験Ｅの解析結果を示す図である。ここでは、測定された心拍変動と、母の気分と、子供の気分とに対し、マルチレベルＳＥＭ（Structural Equation Model）が適用されているため、図２９は、マルチレベルＳＥＭの推定結果を示す図である。
図２９の上段には、いわゆる、Ｂｅｔｗｅｅｎレベルに対応する、個人間レベルにおける関係のモデルが示されている。また、図２９の下段には、いわゆる、Ｗｉｔｈｉｎレベルに対応する、個人内レベルおける関係のモデルが示されている。
【０２３８】
Ｗｉｔｈｉｎレベルのモデルに示されているように、母の気分に対して母の心拍変動（Ｎｕ％）が有意な効果をもっていた。つまり、測定者の心拍数の変動と、測定者の心理状態を示す“気分”とは、有意な効果があった。したがって、本実施形態のように、測定者の心拍数を測定することにより、適切に測定者の心理状態を推定することが可能である。
【０２３９】
また、Ｗｉｔｈｉｎレベルのモデルに示されるように、母の気分に対して子の気分が有意な効果をもっていた。このため、例えば、子供の向けのコンテンツが提供され、子供の気分が良くなると、親の気分も良くなる可能性が高い。したがって、本実施形態のコンピュータシステム１０を用いて、測定者の心理状態に応じたコンテンツを提供することにより、親や子供の気分を良くすることが可能となる。
【０２４０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。例えば、以下に示すような変形が可能である。
【０２４１】
本実施形態では、保護者が、子供の親（父親または母親）であることとしたが、例えば、祖父母、兄、姉、または血縁関係にない者であっても良い。その場合、保護者に応じたコンテンツを表示するために図５に示すコンテンツに含まれる情報に、「保護者の属性」（親と子の関係性）があってもよい。このとき、例えば親の属性が父であれば、よりアクティブな運動系のコンテンツを、保護者の属性が祖父母であれば、座ってできる動きの少ないコンテンツ、といったように、保護者の属性に合わせて、表示されるコンテンツを変更できるようにしてもよい。
【０２４２】
また、本実施形態では、心拍数と閾値とが比較されることにより、ストレス状態、リラックス状態が推定されたが、これに限られない。例えば、「自律神経のパワー」や心拍の周波数解析結果に基づいて、測定者の状態が判定されても良い。
【０２４３】
また、本実施形態では、親子測定を実施する際に、親用の測定画面３０２と、子供用の測定画面３０３とを夫々表示させたが、これに限られず、『連続して測定して下さい』等の表示を含む画面（不図示）のみを表示させても良い。一般に、親の心拍数は、子供の心拍数より高いため、測定処理部４０は、例えば、連続して測定された２つの心拍数のうち、高い方を親の心拍数とし、低い方を子供の心拍数と判別しても良い。また、測定処理部４０は、親や子供の多くの測定データを教師データとして学習させた、学習済みモデル等を用いて、親と子供の心拍数を判別しても良い。
【０２４４】
また、例えば、指標算出部１１３は、親子の画像の代わりに、親子の画像が取得された情報に基づいて、“ふれあいポイント”を増加させても良い。なお、親子の画像が取得されたか否かは、例えば、制御部３１が、取得された画像に人物が２人含まれているか否か（頭部が２つあるか否か）等を判定することにより、判別可能である。
【０２４５】
また、例えば、指標算出部１１３は、親子測定が実施された際、推定された親の心理状態と、推定された子供の心理状態と、が一致した場合、つまり、親子の状態がともに“アクティブ状態”、または“リラックス状態”の場合、“ふれあいポイント”を増加させても良い。一般に、親と子の心理状態が異なるより、親子の心理状態が一致している場合の方が好ましい。このため、指標算出部１１３は、このような状態を考慮して“ふれあいポイント”を増加させることにより、より、親の子育てに対するモチベーションを高めることができる。
【０２４６】
また、出力されるコンテンツとして、おむつ替えの歌以外に、入浴、食事、着替え等、育児のシーンに合わせたコンテンツをあらかじめ準備し、コンテンツが出力された時間を取得することで、次回以降のコンテンツ出力の際に、ユーザの育児のリズムに合わせたコンテンツを表示してもよい。例えば、朝８時〜９時に着替えコンテンツの出力が所定回数以上であった場合、朝の時間帯には着替えコンテンツを優先的に表示する（一方で、一度も出力されないコンテンツ、例えば朝の時間帯に入浴コンテンツが出力されていない場合、この時間帯に入浴コンテンツは表示しない、といった出力しないように制御するようにしてもよい）。
【０２４７】
また、複数のユーザの“ふれあいポイント”や“ふれあい回数”に応じたランキングを表示するようにしてもよい。ランキングは、“ふれあいポイント”の高いユーザ順、“ふれあい回数”の高いユーザ順、“ふれあいポイント”及び“ふれあい回数”の両方に応じたランキング（例えば、２つの点数を加算や乗算した点数等）であってもよい。また、ランキングは一定期間ごと（例えば週ごと、月ごと等）の回数や点数に応じて集計してもよい。また、ランキングの表示方法は単にユーザのランキングを表示するだけでなく、ランキング表示中にユーザのランキングを常に表示する（例えばポップアップ表示など）ようにしてもよい。このようなランキングを表示することで、他のユーザのふれあいの回数やふれあいポイントを確認することができ、ユーザに対してより心拍測定やふれあいを促進させることができる。なお、ここでは、例えば、表示処理部４３が、“ふれあいポイント”等に基づいて、上述したランキング表示を、画面３３に表示する。
【０２４８】
なお、本実施形態において、プログラムが、コンピュータの一例としての、端末２０とサーバ２１を含むコンピュータシステム１０に、コンテンツの表示等の各種の処理を実行させることとしたが、コンピュータは、このようなコンピュータシステム１０に限られない。例えば、端末単体でコンピュータを構成してもよいし、画面を備えたサーバ単体でコンピュータを構成してもよいし、端末と複数のサーバでコンピュータを構成してもよい。また、本実施形態のコンテンツを表示等するプログラムは、端末２０及びサーバ２１にコンテンツを選択、表示させる機能ブロックを実現させることとしたが、これに限られない。例えば、コンテンツを表示等するプログラムは、端末２０またはサーバ２１の一方に格納され、格納された装置のみにコンテンツを選択、表示させる機能ブロックを実現させることとしても良い。
【０２４９】
また、実行可能なプログラムが記憶された非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ  ｗｉｔｈ  ａｎ  ｅｘｅｃｕｔａｂｌｅ  ｐｒｏｇｒａｍ  ｔｈｅｒｅｏｎ）を用いて、コンピュータにプログラムを供給することも可能である。なお、非一時的なコンピュータの可読媒体の例は、磁気記録媒体（例えばフレキシブルディスク、磁気テープ、ハードディスクドライブ）、ＣＤ−ＲＯＭ（Ｒｅａｄ  Ｏｎｌｙ  Ｍｅｍｏｒｙ）等がある。
【符号の説明】
【０２５０】
１０  コンピュータシステム
２０  端末
２１  サーバ
３０  記憶部
３１  制御部
３２  入力部
３３  画面
３４  カメラ
３５  計時部
３６  通信部
４０  測定処理部
４１  第１取得処理部
４２  第２取得処理部
４３  表示処理部
４４  受付処理部
６０  第１表示処理部
６１  第２表示処理部
６２  第３表示処理部
６３  第１入力画像表示処理部
６４  第２入力画像表示処理部
６５  第３入力画像表示処理部
６６  第４入力画像表示処理部
６７  第５入力画像表示処理部
６８  指標表示処理部
１１０  第１状態推定部
１１１  第２状態推定部
１１２  選択部
１１３  指標算出部
１１４  投稿情報処理部
【図１】
2020154645.tif 000003
【図２】
2020154645.tif 000004
【図３】
2020154645.tif 000005
【図４】
2020154645.tif 000006
【図５】
2020154645.tif 000007
【図６】
2020154645.tif 000008
【図７】
2020154645.tif 000009
【図８】
2020154645.tif 000010
【図９】
2020154645.tif 000011
【図１０】
2020154645.tif 000012
【図１１】
2020154645.tif 000013
【図１２】
2020154645.tif 000014
【図１３】
2020154645.tif 000015
【図１４】
2020154645.tif 000016
【図１５】
2020154645.tif 000017
【図１６】
2020154645.tif 000018
【図１７】
2020154645.tif 000019
【図１８】
2020154645.tif 000020
【図１９】
2020154645.tif 000021
【図２０】
2020154645.tif 000022
【図２１】
2020154645.tif 000023
【図２２】
2020154645.tif 000024
【図２３】
2020154645.tif 000025
【図２４】
2020154645.tif 000026
【図２５】
2020154645.tif 000027
【図２６】
2020154645.tif 000028
【図２７】
2020154645.tif 000029
【図２８】
2020154645.tif 000030
【図２９】
2020154645.tif 000031